(57)【特許請求の範囲】
【請求項１】
蛍光ランプの棒状電極と通電用芯線とを電気的に接続する端子であって、
蛍光ランプの棒状電極に係合する電極係合部と、通電用芯線を束ねてかしめ固定するかしめ固定片と、を備え、
前記電極係合部は、前記棒状電極に係合する穴が形成されると共に、その穴から延びて前記電極係合部の先端を二分割するスリットが形成され、
前記穴の周縁が前記かしめ固定片の突出方向に突出するように絞られており、前記穴の周囲にリブが形成されたことを特徴とする端子。
【請求項２】
導電性材料で形成された端子にかしめ固定片と電極係合部を形成し、前記端子のかしめ固定片で通電用芯線を束ねてかしめ固定し、前記端子の電極係合部を蛍光ランプの棒状電極に係合し、この蛍光ランプの棒状電極と前記端子の電極係合部を半田付けして固定するようになっている蛍光ランプの棒状電極と通電用芯線の接続構造において、
前記電極係合部は、前記棒状電極に係合する穴が形成されると共に、その穴から延びて前記電極係合部の先端を二分割するスリットが形成され、
前記穴の周縁が前記かしめ固定片の突出方向に突出するように絞られており、前記穴の周囲にリブが形成されたことを特徴とする蛍光ランプの棒状電極と通電用芯線の接続構造。
【請求項３】
フレーム内に蛍光ランプと導光板を収容し、前記蛍光ランプの光を前記導光板の端面から導光板の内部に入射させ、この入射光を前記導光板の出射面から面状に出射させる面光源装置において、
前記蛍光ランプの棒状電極と通電用芯線とを電気的に接続する端子を備え、この端子にかしめ固定片と電極係合部を形成し、
前記端子のかしめ固定片で通電用芯線を束ねてかしめ固定し、
前記端子の電極係合部を蛍光ランプの棒状電極に係合し、
この蛍光ランプの棒状電極と前記端子の電極係合部を半田付けして固定し、
この通電用芯線，端子及び棒状電極の露出部をゴムキャップで被覆し、
このゴムキャップをフレームのゴムキャップ収容部に係合することにより、前記蛍光ランプを前記フレームに位置決めするようになっており、
前記電極係合部は、前記棒状電極に係合する穴が形成されると共に、その穴から延びて前記電極係合部の先端を二分割するスリットが形成され、
前記穴の周縁が前記かしめ固定片の突出方向に突出するように絞られており、前記穴の周囲にリブが形成されたことを特徴とする面光源装置。
【請求項４】
請求項３に記載の面光源装置と、この面光源装置から面状に出射した出射光で照明される画像表示パネルと、を備えたことを特徴とする画像表示装置。
【発明の詳細な説明】
【０００１】
【発明の属する技術分野】
この発明は、携帯型パソコンやナビゲーション装置等の画像表示パネルを照明する面光源装置及びこの面光源装置を備えた画像表示装置に関し、特に面光源装置を構成する蛍光ランプの棒状電極と通電用芯線との接続構造及び蛍光ランプの棒状電極と通電用芯線との接続に使用される端子に関するものである。
【０００２】
【従来の技術】
例えば、画像表示装置としての液晶表示装置は、携帯型パソコン等に使用され、面光源装置から出射される面状の照明光を液晶表示パネル（画像表示パネル）に照射し、液晶表示パネルの表面上に画像を表示させるようになっている。
【０００３】
このような液晶表示装置に使用される面光源装置は、一般に蛍光ランプの光を導光板の端面から導光板の内部に導き、その導光板への入射光を導光板の液晶表示パネルに対向する面から面状に出射し、その導光板からの出射光で液晶表示パネルを照明するようになっている。ここで、蛍光ランプは、その両端から突出する棒状電極が外部電源に通電用芯線を介して接続されると共に、その棒状電極と通電用芯線との露出部がゴムキャップによって被覆され、このゴムキャップによってショート等の電気的事故の発生が防止されるようになっている。尚、ゴムキャップは、上記のように棒状電極と通電用芯線との接続部に係合され、棒状電極と通電用芯線との露出部を被覆した状態において、蛍光ランプや導光板を収容するフレームの所定位置に係合されることにより、蛍光ランプを導光板に対して位置決めする。
【０００４】
図１２は、上記のような面光源装置の蛍光ランプ７の棒状電極１０と通電用芯線３８との接続手順を示す図である。先ず、リード線１１の先端に露出する複数の通電用芯線３８を溶融した半田槽に浸すことにより棒状にまとめ（予備半田付け）、半田が固まった後に、通電用芯線３８を棒状電極１０に係合する大きさに丸め、リング状部６０を形成する（図１２（ａ），図１２（ｂ））。次いで、その通電用芯線３８のリング状部６０を蛍光ランプ７の棒状電極１０に嵌合し（図１２（ｂ））、リング状部６０と棒状電極１０を半田４３で固定する（図１２（ｃ））。この後、通電用芯線３８と棒状電極１０の露出部をゴムキャップ４４で被覆するようになっている（図１２（ｄ））。
【０００５】
【発明が解決しようとする課題】
しかしながら、従来は、図１２（ａ）に示すリング状部６０の形成を人手により行っていたため、リング状部６０の寸法のばらつきが大きく、また外形形状のばらつきも大きかった。その結果、リング状部６０が蛍光ランプ７の外径寸法やリード線１１の外径寸法よりも大きく形成されたような場合には、ゴムキャップ４４を通電用芯線３８と棒状電極１０の露出部に係合する際に、ゴムキャップ４４に形成された穴４５に通電用芯線３８のリング状部６０が引っかかり、ゴムキャップ４４の係合作業が円滑に行われないという問題を生じることがあった。
【０００６】
又、通電用芯線３８のリング状部６０が極めて小さな内径寸法（例えば、０．８ｍｍの外径寸法の棒状電極１０に係合する寸法）になるように人手で丸められていたため、通電用芯線３８のリング状部６０の加工が大変で、作業者に大きな負担がかかっていた。
【０００７】
そこで、本発明は、通電用芯線３８と棒状電極１０の接続部の寸法のばらつきを小さくし、ゴムキャップ４４の係合作業を円滑化すると共に、通電用芯線３８と棒状電極１０の接続構造を改良し、通電用芯線３８と棒状電極１０の接続作業を行う作業者の労力を軽減することを目的とする。
【０００８】
【課題を解決するための手段】
請求項１の発明は、蛍光ランプの棒状電極と通電用芯線とを電気的に接続する端子である。そして、本発明の端子は、蛍光ランプの棒状電極に係合する電極係合部と、通電用芯線を束ねてかしめ固定するかしめ固定片と、を備えている。また、本発明の端子において、前記電極係合部は、前記棒状電極に係合する穴が形成されると共に、その穴から延びて前記電極係合部の先端を二分割するスリットが形成されている。そして、前記穴の周縁が前記かしめ固定片の突出方向に突出するように絞られており、前記穴の周囲にリブが形成されたことを特徴としている。
【０００９】
請求項２の発明は、蛍光ランプの棒状電極と通電用芯線の接続構造であり、導電性材料で形成された端子にかしめ固定片と電極係合部を形成し、前記端子のかしめ固定片で通電用芯線を束ねてかしめ固定し、前記端子の電極係合部を蛍光ランプの棒状電極に係合し、この蛍光ランプの棒状電極と前記端子の電極係合部を半田付けして固定するようになっている。そして、この発明において、前記電極係合部は、前記棒状電極に係合する穴が形成されると共に、その穴から延びて前記電極係合部の先端を二分割するスリットが形成されている。そして、前記穴の周縁が前記かしめ固定片の突出方向に突出するように絞られており、前記穴の周囲にリブが形成されたことを特徴としている。
【００１０】
請求項３の発明は、フレーム内に蛍光ランプと導光板を収容し、前記蛍光ランプの光を前記導光板の端面から導光板の内部に入射させ、この入射光を前記導光板の出射面から面状に出射させる面光源装置である。この本発明の面光源装置は、前記蛍光ランプの棒状電極と通電用芯線とを電気的に接続する端子を備え、この端子にかしめ固定片と電極係合部を形成してある。そして、前記端子のかしめ固定片で通電用芯線を束ねてかしめ固定し、前記端子の電極係合部を蛍光ランプの棒状電極に係合し、この蛍光ランプの棒状電極と前記端子の電極係合部を半田付けして固定し、この通電用芯線，端子及び棒状電極の露出部をゴムキャップで被覆し、このゴムキャップをフレームのゴムキャップ収容部に係合することにより、前記蛍光ランプを前記フレームに位置決めするようになっている。また、この発明において、前記電極係合部は、前記棒状電極に係合する穴が形成されると共に、その穴から延びて前記電極係合部の先端を二分割するスリットが形成されている。そして、前記穴の周縁が前記かしめ固定片の突出方向に突出するように絞られており、前記穴の周囲にリブが形成されたことを特徴としている。
【００１１】
請求項４の発明は、上記請求項３に記載の面光源装置と、この面光源装置から面状に出射した出射光で照明される画像表示パネルと、を備えたことを特徴とする画像表示装置である。
【００１２】
【発明の実施の形態】
以下、本発明の実施の形態を図面に基づき詳述する。
【００１３】
［第１の実施の形態］
（面光源装置）
図１〜図２は、本発明の実施の形態に係る面光源装置１に関するものである。このうち、図１は、本発明の実施の形態に係る面光源装置１の分解斜視図である。又、図２は、図１のＡ−Ａ線に沿って切断して示す断面図である。これらの図において、略矩形状に形作られたフレーム２内には、反射シート３，導光板４及びプリズムシート５が順次重ねて収容されている。そして、導光板４の端面（入射面）６側に対向するように蛍光ランプ７が配置されている。この蛍光ランプ７は、フレーム２に固定される金属製のリフレクター（反射部材）８内に収容されており、その両端の棒状電極１０，１０がリード線１１，１１を介して外部電極に接続されている。
【００１４】
フレーム２は、白色の合成樹脂を射出成形することにより略矩形状に形成されており、その一方の端部Ｅ１に上記金属製のリフレクター８が固定されており、その他方の端部Ｅ２にリフレクター８と対向するように金属製の支持板１２が固定されている。
【００１５】
ここで、フレーム２は、リフレクター８が固定される第１の辺１３と、この第１の辺１３の一方の端部に略直交する第２の辺１４と、前記第１の辺１３の他方の端部に略直交する第３の辺１５と、これら第２の辺１４及び第３の辺１５に略直交する第４の辺１６とを備え、第２の辺１４と第３の辺１５の内側に反射シート３の下面３ａを支持する舌片１７，１７が形成されている。そして、第１の辺１３の両端部には、リフレクター固定部１８が一対形成されている。又、第４の辺１６の両端部には、支持板固定部２０が一対形成されている。そして、このフレーム２の上部周縁には、液晶表示パネル（画像表示パネル）２１を収容するためのパネル係合部２２が形成されている。尚、フレーム２の下面側には、リフレクター８に係合する第１の係合部２３と支持板１２に係合する第２の係合部２４がそれぞれ形成されている。
【００１６】
リフレクター８は、ステンレスやアルミ合金等の金属板で形成されており、その内面全域に銀の反射層が形成されている。このリフレクター８は、フレーム２の第１の辺１３側のリフレクター固定部１８，１８にねじ２５，２５で固定される基部２６と、この基部２６から起立する起立壁部２７と、この起立壁部２７から基部２６と略平行になるように導光板４側へ折り曲げられた鍔部２８と、からなっている。そして、下方の基部２６は、上方の鍔部２８よりも長く形成されており、反射シート３の下面３ａ側に密接し、反射シート３，導光板４及びプリズムシート５の一端側を安定して支持できるようになっている。又、上方の鍔部２８は、液晶表示パネル２１の裏面側を支持するようになっており、その先端部が導光板４の上面（出射面）３０側に位置している。そして、このように構成されたリフレクター８は、蛍光ランプ７の光を銀の反射層で反射し、その反射光を導光板４の端面（入射面）６に導くようになっている。
【００１７】
又、このようなリフレクター８は、フレーム２に固定されることにより、基部２６がフレーム２の梁部材として機能すると共に、反射シート３，導光板４及びプリズムシート５を支持する支持板部材として機能して、フレーム２を補強することができる。従って、フレーム２は、リフレクター８で補強される分だけ、薄肉化・小型化することができる。又、リフレクター８は、基部２６と鍔部２８で反射シート３及び導光板４を挟持することができるため、フレーム２側に反射シート３及び導光板４を挟持する部分を形成する必要がなくなる。従って、この点においても、フレーム２の薄肉化・小型化が可能になる。尚、リフレクター８の基部２６と鍔部２８は、反射シート３及び導光板４を微小な隙間をもって挟持するか、又は所定の弾性力で挟持するようになっている。
【００１８】
支持板１２は、リフレクター８と同様にステンレスやアルミ合金等の金属板で断面略Ｌ字形状に形成されており（図１参照）、フレーム２の第４の辺１６側の支持板固定部２０，２０にねじ３１，３１で固定されるようになっている。ここで、支持板１２は、支持板固定部２０に固定されて、反射シート３の下面３ａ側を支持する基部３２と、この基部３２から起立して第４の辺１６の外側に係合する背板部３３とを備えており、フレーム２の第４の辺１６と一体化してフレーム２を補強するようになっているため、前記リフレクター８の機能と相俟ってフレーム２の薄型化・小型化を図ることが可能になる。
【００１９】
反射シート３は、優れた反射性を有する白色ＰＥＴシートで形成されており、フレーム２内に収容できる大きさで、導光板４の下面３４から出射した光を導光板４側に反射するようになっている。
【００２０】
導光板４は、アクリル樹脂等の合成樹脂を射出成形することにより、上面（出射面）３０が略矩形状であり、且つ断面形状が略楔形形状に形成されており、蛍光ランプ７から遠ざかるにしたがって板厚が薄くなるように形成されている。尚、導光板４の入射面６を粗面化し、入射面６近傍の出射光量を調整し、出射光の明暗が繰り返し生じる現象（写り込み現象）を抑えるようにしてもよい。又、導光板４の上面３０や下面３４には、光拡散性のインク（例えば、炭酸マグネシウム、酸化チタン等を顔料とするインク）を選択的に付着させたり、梨地面（シボ面）を部分的に形成し、光を拡散させることにより出射光量を調整するようにしてもよい。
【００２１】
プリズムシート５は、ポリエチレンテレフタレートやアクリル樹脂等の透光性のシート材で形成されており、導光板４に対向する面（下面）に断面略三角形状のプリズム面３５が多数連続して形成されている。尚、このプリズムシート５のプリズム面３５は、導光板４の入射面６と略平行する方向へ延びており、導光板４から出射した光の進行方向を補正し、液晶表示パネル２１を面状に効率的に照射できるように工夫されている。
【００２２】
以上のように構成された本実施の形態の面光源装置１は、蛍光ランプ７から発せられた光が導光板４の入射面６から導光板４の内部に入射して、その入射光が直接に出射面３０から出射するか、又は導光板４内を繰り返し伝播し、その光が出射面３０に対して臨界角以下になると出射面３０から出射する。そして、導光板４から出射した光は、プリズムシート５で進行方向を補正され、液晶表示パネル２１を面状に照明する。
【００２３】
（画像表示装置）
本実施の形態の面光源装置１において、フレーム２のパネル係合部２２に液晶表示パネル（画像表示パネル）２１を収容し、この液晶表示パネル２１をフレーム２に組み付けることにより、面光源装置１から面状に出射される照明光で液晶表示パネル２１上の画像を表示する画像表示装置３６が構成される。
【００２４】
（蛍光ランプの棒状電極とリード線（通電用芯線）の接続構造）
図３〜図４は、蛍光ランプ７の棒状電極１０とリード線１１の接続構造を示すものである。
【００２５】
先ず、リード線１１の先端の絶縁被膜３７を取り除き、通電用芯線３８を露出させる。次に、導電性金属材料（例えば、リン青銅，銅，黄銅等）で形成され、必要に応じて半田メッキ処理が施された端子４０の一対のかしめ固定片４１，４１の間に複数本の通電用芯線３８を係合し、この通電用芯線３８を一対のかしめ固定片４１，４１で束ねるようにかしめ固定する。これにより、通電用芯線３８に端子４０が固定される。次に、端子４０の先端に形成された電極係合部４２を蛍光ランプ７の棒状電極１０に係合する。そして、端子４０の電極係合部４２と蛍光ランプ７の棒状電極１０を半田４３で固定し（半田付けし）、端子４０と棒状電極１０を固定する。尚、図３及び図４は蛍光ランプ７の左側端部の接続構造を例示しているが、蛍光ランプ７の右側端部も図３及び図４に示す構造と対称の構造（棒状電極１０と通電用芯線３８との接続構造）になっている。又、半田付けは、半田付け作業を容易化するため、端子４０と棒状電極１０の係合部から棒状電極１０の先端部側に対して行われる。
【００２６】
ここで、通電用芯線３８の先端が蛍光ランプ７の棒状電極１０に接触するか又は棒状電極１０の近傍に位置するように、通電用芯線３８の露出長さを決定すると共に、端子４０が蛍光ランプ７側に位置し且つ通電用芯線３８が棒状電極１０の先端側（図３（ｂ）中左側）に位置するように配置するのが望ましい。このようにすると、端子４０の電極係合部４２と棒状電極１０を半田付けする際に、溶けた半田４３が束ねられた通電用芯線３８の隙間に浸透し、通電用芯線３８と棒状電極１０とを直接半田付けすることができることになり、通電用芯線３８と棒状電極１０の接続強度が一層増加することになるからである。
【００２７】
尚、図５に示すように、通電用芯線３８が蛍光ランプ７側（図中右側）に位置し且つ端子４０が棒状電極１０の先端側に位置するように配置し、端子４０と棒状電極１０との係合部から棒状電極１０の先端側に対して半田付けする（半田４３で固定する）ようにしてもよい。ただし、このような通電用芯線３８と棒状電極１０の接続構造であると、溶けた半田４３を束ねられた通電用芯線３８の隙間に浸透させ、通電用芯線３８と棒状電極１０を直接半田付けすることが困難になる。しかし、この図５に示すように、通電用芯線３８が蛍光ランプ７側に位置し且つ端子４０が棒状電極１０の先端側に位置するように配置する構造であっても、端子４０と棒状電極１０の係合部から蛍光ランプ７側に対して半田付けすれば、端子４０の電極係合部４２と棒状電極１０を半田付けすることができると共に、通電用芯線３８と棒状電極１０を直接半田付けすることが可能になる。
【００２８】
次に、図６に示すように、蛍光ランプ７の棒状電極１０と通電用芯線３８との接続部には、絶縁用のゴムキャップ４４が係合され、このゴムキャップ４４で棒状電極１０，端子４０及び通電用芯線３８の露出部分を被覆するようになっている。このゴムキャップ４４は、図７に詳細を示すように、角棒を略Ｌ字形に折り曲げたような形状に形成されており、蛍光ランプ７の非発光部分とリード線１１の端部に跨って係合される穴４５が略Ｌ字形状に形成されている。そして、図６に示すように、リード線１１と蛍光ランプ７に跨って係合されたゴムキャップ４４をフレーム２に形成されたゴムキャップ収容部４６に係合することにより、蛍光ランプ７をフレーム２内の所定位置に位置決めすることができ、導光板４の入射面６に対して蛍光ランプ７を位置決めすることが可能になる。尚、ゴムキャップ４４は、容易に変形させることができるため、端子４０と棒状電極１０の半田付けが完了するまで蛍光ランプ７側にずらして係合してあり、端子４０と棒状電極１０の半田付けが完了した後に図６の位置までずらすようになっている。
【００２９】
（端子）
図９及び図１０は、本実施の形態に係る端子４０を示すものである。このうち図９は、端子４０の外観斜視図である。又、図１０（ａ）は端子４０の平面図であり、図１０（ｂ）は図１０（ａ）のＢ−Ｂ線に沿って切断して示す図である。
【００３０】
これらの図に示す端子４０は、前述のように導電性金属材料で形成されたものであり、一対のかしめ固定片４１，４１と、先端側に形成された略円弧状の電極係合部４２とを備えている。
【００３１】
一対のかしめ固定片４１，４１は、対向するように湾曲形成されており、通電用芯線３８を抱き込むようにかしめられ（図８参照）、複数の通電用芯線３８を束ねると共に、通電用芯線３８と端子４０を一体化する。ここで、一対のかしめ固定片４１，４１は、図８に示すように、かしめられた際にリード線１１の外表面から出っ張らないように（リード線１１の外径寸法に等しいか又は外径寸法よりも小さくなるように）、その曲率や長さが決定されている。
【００３２】
電極係合部４２は、略円弧状の外縁４７が蛍光ランプ７の外表面よりも出っ張らないように（蛍光ランプ７の外径寸法に等しいか又は外径寸法よりも小さくなるように）形成されると共に（図３（ａ），図４（ａ），図５（ａ），図６（ａ）参照）、その略中央部に蛍光ランプ７の棒状電極１０に係合する穴４８が形成され、電極係合部４２の先端を左右に二分割するスリット５０が形成されている。そして、穴４８の周縁５１がかしめ固定片４１の突出方向（図１０（ｂ）中の左側方向）へ突出するように絞られており、穴４８の周囲にリブ５２が形成されている。
【００３３】
このように、電極係合部４２は、電極係合部４２の先端を左右に二分割するスリット５０が形成されているため、蛍光ランプ７の棒状電極１０の外径寸法がばらつき、棒状電極１０の外径寸法が穴４８の内径寸法よりも大きい場合でも、スリット間隔を広げるように変形して円滑に係合する。特に、棒状電極１０の外表面に半田層を形成し（予備半田を施し）、電極係合部４２と棒状電極１０の半田付けの容易化を図る場合に、半田層の厚さがばらつくことがあるが、上記のように電極係合部４２を形成することにより、半田層の厚さのばらつきを容易に吸収することができる。又、上記のように、穴４８の周縁５１を絞ることにより、穴４８の周縁５１に面取り部５３が形成され、電極係合部４２と棒状電極１０の係合作業を容易に行うことができる。又、上記のように、穴４８の周縁５１を絞ってリブ５２を形成することにより、穴４８の周縁５１の強度を高めることができる。
【００３４】
以上のように、本実施の形態は、予め所定形状に形成された端子４０をリード線１１の通電用芯線３８にかしめ固定し、このかしめ固定した端子４０の電極係合部４２の穴４８を蛍光ランプ７の棒状電極１０に係合した後、電極係合部４２と棒状電極１０を半田付けすることにより、通電用芯線３８と棒状電極１０とを電気的に接続することが可能になるため、従来例の通電用芯線３８を予備半田付けする作業が不要になると共に、従来例の通電用芯線３８を手作業で丸める工程が不要となり（図１２（ａ）参照）、通電用芯線３８と棒状電極１０の接続作業が容易化する。従って、本実施の形態によれば、面光源装置１及びこの面光源装置１を備えた画像表示装置３６の製造工数を削減することが可能になる。
【００３５】
又、本実施の形態は、予め所定形状に形成された端子４０を介して通電用芯線３８と棒状電極１０を接続するような構造であり、通電用芯線３８と棒状電極１０の接続部の形状のばらつきを従来例よりも小さくすることができ、しかも端子４０の電極係合部４２の外径寸法を蛍光ランプ７の外径寸法に対して等しいか又は小さくすることができると共に（図４（ａ）参照）、端子４０のかしめ部分をリード線１１の外表面から出っ張らないようにすることができるため（図８参照）、ゴムキャップ４４をリード線１１と蛍光ランプ７に跨って係合させることが円滑に且つ容易にできる（図６参照）。従って、本実施の形態によれば、ゴムキャップ４４をリード線１１と蛍光ランプ７に跨って係合する際に、通電用芯線３８や端子４０と棒状電極１０の半田付け部分に過度の応力が作用するのを防止することができると共に、ゴムキャップ４４を通電用芯線３８や端子４０等で傷付けるのを防止することができる。尚、従来例は、丸めた通電用芯線３８の先端が蛍光ランプ７の外表面よりも半径方向外方へ出っ張り、その通電用芯線３８の先端でゴムキャップ４４を傷付けることがあった。
【００３６】
又、本実施の形態は、通電用芯線３８が端子４０のかしめ固定片４１，４１でかしめられているため、半田がかしめ固定片４１，４１によるかしめ固定部分からリード線１１側の部分まで浸透するのを抑えることができ、かしめ固定部分とリード線１１との間の通電用芯線３８の曲げに対する自由度が確保でき、即ちかしめ固定部分とリード線１１との間の通電用芯線３８を柔軟に曲げることができ、リード線１１の配線が容易になる。その結果、リード線１１を配置するために要するスペースを削減でき、面光源装置１及びこの面光源装置１を備えた画像表示装置３６の設計の自由度が増加すると共に、面光源装置１及びこの面光源装置１を備えた画像表示装置３６の小型化を図ることが可能になる。尚、従来例は、通電用芯線３８を予備半田付け等して固めており、通電用芯線３８の柔軟性が乏しく、折れやすくなっていたため、リード線１１の配線作業が本実施の形態に比較して困難であった。
【００３７】
［第２の実施の形態］
図１１（ａ）は、本発明の第２の実施の形態に係る端子４０の平面図を示すものである。この図１１（ａ）に示す端子４０は、電極係合部４２にスリット５０を形成していない構成が上記第１の実施の形態と相違する。尚、本実施の形態は、棒状電極１０の外径寸法のばらつきを考慮し、棒状電極１０に対して穴４８がすきまばめとなるように、穴４８の寸法が形成されている（図１１（ａ）及び図６（ｂ）参照）。
【００３８】
［第３の実施の形態］
図１１（ｂ）は、本発明の第３の実施の形態に係る端子４０の平面図を示すものである。この図１１（ｂ）に示す端子４０は、電極係合部４２に略Ｕ字形状の溝５４が形成されており、この溝５４が棒状電極１０に係合されるようになっている。
【００３９】
［第４の実施の形態］
図１１（ｃ）は、本発明の第４の実施の形態に係る端子４０の平面図を示すものである。この図１１（ｃ）に示す端子４０は、電極係合部４２に略Ｕ字形状の溝５５が形成され、溝５５の側壁に一対の突起５６，５６が対向するように形成されている。このように構成された端子４０は、溝５５に棒状電極１０を係合すると、棒状電極１０が突起５６，５６を乗り越える際に溝５５を押し開くように電極係合部４２を弾性変形させ、棒状電極１０が突起５６，５６を乗り越えて溝底部５７に係合すると、棒状電極１０が元の形状に復元し、棒状電極１０を一対の突起５６，５６で抱きかかえるように保持する。
【００４０】
尚、上記の第１の実施の形態において、断面が略楔形形状の導光板４を例に採って説明したが、これに限られず、導光板４の上面（出射面）３０と下面３４が平行に形成されたものや、その他の適宜形状の導光板４が使用される。
【００４１】
又、本発明は、上記の各実施の形態に限られず、導光板４の複数の側面側に蛍光ランプ７を配置する場合にも適用される。
【００４２】
又、上記各実施の形態は、導光板４の上面３０に１枚のプリズムシート５のみを配置する態様を示したが、これに限られず、導光板４の上面３０に拡散シートや、プリズム面が略直交するように組み合わされた２枚のプリズムシートや、保護シート等を適宜配置してもよい。又、プリズムシート５の代わりに、その他の光制御部材を導光板４の上面３０側に配置するようにしてもよい。
【００４４】
【発明の効果】
以上の説明から明らかなように、本発明は、予め所定形状に形成された端子を通電用芯線にかしめ固定し、このかしめ固定した端子の電極係合部を蛍光ランプの棒状電極に係合した後、電極係合部と棒状電極を半田付けする構造であるため、従来例の通電用芯線を予備半田付けする作業が不要になると共に、従来例の通電用芯線を手作業で丸める工程が不要となり、通電用芯線と棒状電極の接続作業が容易化する。従って、本発明によれば、面光源装置及びこの面光源装置を備えた画像表示装置の製造工数を削減することが可能になる。
【００４５】
又、本実施の形態は、予め所定形状に形成された端子を介して通電用芯線と棒状電極を接続するような構造であり、通電用芯線と棒状電極の接続部の形状のばらつきを従来例よりも小さくすることができるため、通電用芯線，端子及び棒状電極の露出部をゴムキャップで被覆する作業が容易化する。
【図面の簡単な説明】
【図１】本発明の第１の実施の形態に係る面光源装置の分解斜視図である。
【図２】図１のＡ−Ａ線に沿って切断して示す面光源装置の断面図である。
【図３】蛍光ランプの棒状電極と通電用芯線に固定した端子との係合状態を示す図である。図３（ａ）は同側面図であり、図３（ｂ）は同平面図である。
【図４】蛍光ランプの棒状電極と通電用芯線に固定した端子の半田付け状態を示す図である。図４（ａ）は同側面図であり、図４（ｂ）は同平面図である。
【図５】蛍光ランプの棒状電極と通電用芯線に固定した端子の他の半田付け状態を示す図である。図５（ａ）は同側面図であり、図５（ｂ）は同平面図である。
【図６】棒状電極，端子及び通電用芯線の露出部に係合されたゴムキャップのフレームへの係合状態図である。図６（ａ）は同側面図であり、図６（ｂ）は同平面図である。
【図７】ゴムキャップを示す図である。図７（ａ）はゴムキャップの外観斜視図であり、図７（ｂ）は断面して示す平面図である。
【図８】端子のかしめ固定片による通電用芯線のかしめ固定状態を示す図である。
【図９】端子の外観斜視図である。
【図１０】端子の詳細図である。図１０（ａ）は端子の平面図であり、図１０（ｂ）は図１０（ａ）のＢ−Ｂ線に沿って切断して示す側面図である。
【図１１】端子の他の実施の形態を示す図である。図１１（ａ）は端子の第２の実施の形態を示す平面図であり、図１１（ｂ）は端子の第３の実施の形態を示す平面図であり、図１１（ｃ）は端子の第４の実施の形態を示す平面図である。
【図１２】従来の通電用芯線と蛍光ランプの棒状電極との接続状態を示す図である。図１２（ａ）は通電用芯線をリング状に成形した状態を示す図であり、図１２（ｂ）は通電用芯線のリング状部を蛍光ランプの棒状電極に係合する状態を示す図であり、図１２（ｃ）は通電用芯線のリング状部と蛍光ランプの棒状電極の半田付け状態を示す図であり、図１２（ｄ）はゴムキャップを切断して示す通電用芯線と棒状電極の接続部の構造図である。
【符号の説明】
１……面光源装置、２……フレーム、４……導光板、６……端面（入射面）、７……蛍光ランプ、１０……棒状電極、２１……液晶表示パネル（画像表示パネル）、３０……上面（出射面）、３６……画像表示装置、３８……通電用芯線、４０……端子、４１……かしめ固定片、４２……電極係合部、４４……ゴムキャップ、４６……ゴムキャップ収容部
【図１】
0003607148.tif 000002
【図２】
0003607148.tif 000003
【図３】
0003607148.tif 000004
【図４】
0003607148.tif 000005
【図５】
0003607148.tif 000006
【図６】
0003607148.tif 000007
【図７】
0003607148.tif 000008
【図８】
0003607148.tif 000009
【図９】
0003607148.tif 000010
【図１０】
0003607148.tif 000011
【図１１】
0003607148.tif 000012
【図１２】
0003607148.tif 000013